(57)【要約】【課題】手間を掛けずに短い時間で組み立てることができる収納箱を提供する。【解決手段】収納物が載置される底壁２と、底壁２の外周に設けられ、対向する一組の第一側壁である側壁６，７と、底壁２の外周に設けられ、対向する一組の第二側壁である側壁８，９と、を備えた収納箱１において、一組の側壁８，９の上部端面には、一組の側壁６，７の上部端面を覆う折り曲げ片１４，１５が折り曲げ可能に設けられており、折り曲げ片１４，１５の側部には、一組の側壁６，７の外面に当接した状態で一組の側壁６，７に係合する係合片１８が折り曲げ可能に設けられていることを特徴とする。【選択図】図１
2015212163.tif 000002
【特許請求の範囲】
【請求項１】
収納物が載置される底壁と、
底壁の外周に設けられ、対向する一組の第一側壁と、
底壁の外周に設けられ、前記第一側壁と交差する面で対向する一組の第二側壁と、
を備えた収納箱において、
前記一組の第二側壁の上部端面には、前記一組の第一側壁の上部端面を覆う折り曲げ片が折り曲げ可能に設けられており、
前記折り曲げ片の側部には、前記一組の第一側壁の外面に当接した状態で前記一組の第一側壁に係合する係合片が折り曲げ可能に設けられていることを特徴とする収納箱。
【請求項２】
請求項１に記載の収納箱であって、
前記一組の第一側壁には、前記係合片が係合する孔部が設けられており、
前記係合片は、前記一組の第一側壁の外面に当接する腕部と、
前記腕部に連続して設けられ、前記孔部に挿入されて前記一組の第一側壁に係合する係合部を備えていることを特徴とする収納箱。
【請求項３】
請求項２に記載の収納箱であって、
前記係合部には、舌片が弾性変形可能に設けられており、
前記係合部は、前記舌片が前記孔部の周縁部に当接して弾性変形した状態で、前記孔部に挿入可能であることを特徴とする収納箱。
【請求項４】
請求項１〜３のいずれか一に記載の収納箱であって、
前記一組の第一側壁の側部には第１フラップが設けられており、前記第１フラップの下部端面は前記底壁に当接していることを特徴とする収納箱。
【請求項５】
請求項１〜４のいずれか一に記載の収納箱であって、
前記底壁には、前記底壁が背中合わせに山形に折り曲げられた状態で前記底壁から立ち上がり、前記底壁を２つの底壁部に分割する仕切り壁を備えていることを特徴とする収納箱。
【請求項６】
請求項５に記載の収納箱であって、
前記仕切り壁の山形に折り曲げられた折曲線には、前記折曲線に沿って切り取り可能な切り取り手段が設けられていることを特徴とする収納箱。
【請求項７】
請求項６に記載の収納箱であって、
前記仕切り壁には第２フラップが設けられており、前記第２フラップの下部端面は前記底壁部に当接していることを特徴とする収納箱。
【請求項８】
請求項７に記載の収納箱であって、
前記第２フラップには、前記第１フラップに係合する係合部が設けられていることを特徴とする収納箱。
【請求項９】
請求項５〜８のいずれか一に記載の収納箱であって、
前記仕切り壁には、前記仕切り壁に設けられた切り込みに沿って前記仕切り壁から垂直に折り曲げられた仕切り片を備えており、
前記仕切り片は、前記底壁部を２つに分割可能であることを特徴とする収納箱。
【発明の詳細な説明】
【技術分野】
【０００１】
本発明は、苺がパック詰めされた複数の苺パックを収納する苺パック収納箱に関する。
【背景技術】
【０００２】
紙製のブランク材を折り曲げて形成する苺用トレーが特許文献１に開示されている。この苺用トレーの組み立て手順について図１９〜図２１を参照しながら説明する。ブランク材の中央に位置する前後側壁１３８，１３９と横仕切り１４０，１４１とを立ち上げて、ブランク材の一方側の端部に位置する左右側壁１４２と一半側底面１４４と縦仕切り１４６とを内側に折り曲げて、前後側壁１３８，１３９と横仕切り１４０，１４１とを覆い、係合孔１５０と嵌合用切れ目１５１とを横仕切り１４０，１４１に嵌め込んで固定する。このときの状態を図２０に示す。さらに、ブランク材の他方側の端部に位置する左右側壁１４３と一半側底面１４５と縦仕切り１４７とを内側に折り曲げて、前後側壁１３８，１３９と横仕切り１４０，１４１とを覆い、係合孔１５０と嵌合用切れ目１５１とを横仕切り１４０，１４１に嵌め込んで固定する。このときの状態を図２１に示す。
【先行技術文献】
【特許文献】
【０００３】
【特許文献１】特開平９−３０９５２４号公報
【発明の概要】
【発明が解決しようとする課題】
【０００４】
特許文献１に記載の苺用トレーでは、前後側壁１３８，１３９と横仕切り１４０，１４１とを正確に垂直に立ち上げ、立ち上げた横仕切り１４０，１４１に係合孔１５０と嵌合用切れ目１５１とを嵌め込むので、手間が掛かり組み立て時間が長くなる。また、一半側底面１４４，１４５は、係合孔１５０と嵌合用切れ目１５１とが横仕切り１４０，１４１の上側に嵌め込まれて固定されているので、一半側底面１４４，１４５に上向きの力が加わると、横仕切り１４０，１４１が、係合孔１５０と嵌合用切れ目１５１とから抜けて、一半側底面１４４，１４５が外れる虞がある。
【０００５】
本発明は、従来のこのような問題点を解決するためになされたものであって、その主な目的は、手間を掛けずに短い時間で組み立てることができる収納箱を提供することにある。
【課題を解決するための手段及び発明の効果】
【０００６】
上記目的を達成するために、本発明の一の収納箱によれば、収納物が載置される底壁と、底壁の外周に設けられ、対向する一組の第一側壁と、底壁の外周に設けられ、前記第一側壁と交差する面で対向する一組の第二側壁と、を備えた収納箱において、前記一組の第二側壁の上部端面には、前記一組の第一側壁の上部端面を覆う折り曲げ片が折り曲げ可能に設けられており、前記折り曲げ片の側部には、前記一組の第一側壁の外面に当接した状態で前記一組の第一側壁に係合する係合片が折り曲げ可能に設けられていることを特徴とする。
【０００７】
上記構成によれば、第一側壁の上端が係合片の基端部に当接して、第一側壁が外側に傾くことが防止された状態で、係合片を第一側壁に簡単に係合して、手間を掛けずに短い時間で収納箱を組み立てることができる。
【０００８】
また、前記一組の第一側壁には、前記係合片が係合する孔部が設けられており、前記係合片は、前記一組の第一側壁の外面に当接する腕部と、前記腕部に連続して設けられ、前記孔部に挿入されて前記一組の第一側壁に係合する係合部を備えていることを特徴とする。
【０００９】
上記構成によれば、腕部を前記一組の第一側壁の外面に当接させた状態で、前記腕部に連続して設けられた係合部を、前記一組の第一側壁に設けられた孔部に指で挿入して係合させることができる。
【００１０】
また、前記係合部には、舌片が弾性変形可能に設けられており、前記係合部は、前記舌片が前記孔部の周縁部に当接して弾性変形した状態で、前記孔部に挿入可能であることを特徴とする。
【００１１】
上記構成によれば、前記係合部を指で押して、前記舌片が前記孔部の周縁部に当接して弾性変形した状態で、前記孔部を通過させることができる。前記係合部が第一側壁の内部側に挿入されると、前記舌片が弾性力で元の状態に戻り第一側壁に係合される。
【００１２】
また、前記一組の第一側壁の側部には第１フラップが設けられており、前記第１フラップの下部端面は前記底壁に当接していることを特徴とする。
【００１３】
上記構成によれば、第１フラップの下部端面が前記底壁に当接しているので、前記一組の第一側壁が前記底壁側に傾くことを防止することができる。
【００１４】
また、前記底壁には、前記底壁が背中合わせに山形に折り曲げられた状態で前記底壁から立ち上がり、前記底壁を２つの底壁部に分割する仕切り壁を備えていることを特徴とする。
【００１５】
上記構成によれば、前記底壁を２つの底壁部に分割する仕切り壁を簡単に形成することができる。
【００１６】
また、前記仕切り壁の山形に折り曲げられた折曲線には、前記折曲線に沿って切り取り可能な切り取り手段が設けられていることを特徴とする。
【００１７】
上記構成によれば、底壁部を備えた２つの収納箱に分割することができる。
【００１８】
前記仕切り壁には第２フラップが設けられており、前記第２フラップの下部端面は前記底壁部に当接していることを特徴とする。
【００１９】
上記構成によれば、収納箱が底壁部を備えた２つの収納箱に分割された状態で、仕切り壁が底壁部側に傾くことを防止することができる。
【００２０】
また、前記第２フラップには、前記第１フラップに係合する係合部が設けられていることを特徴とする。
【００２１】
上記構成によれば、２つに分割された収納箱の第一側壁または仕切り壁が底壁部側に傾くことを防止することができる。
【００２２】
また、前記仕切り壁には、前記仕切り壁に設けられた切り込みに沿って前記仕切り壁から垂直に折り曲げられた仕切り片を備えており、前記仕切り片は、前記底壁部を２つに分割可能であることを特徴とする。
【００２３】
上記構成によれば、仕切り片によって簡単に底壁部を２つに分割することができる。
【図面の簡単な説明】
【００２４】
【図１】本発明の第１の実施形態に係る収納箱の斜視図である。
【図２】収納箱の展開図である。
【図３】ブランク材の斜視図である。
【図４】収納箱の組み立て手順を示す斜視図である。
【図５】収納箱の組み立て手順を示す斜視図である。
【図６】収納箱の組み立て手順を示す斜視図である。
【図７】収納箱の組み立て手順を示す斜視図である。
【図８】収納箱の組み立て手順を示す斜視図である。
【図９】収納箱の組み立て手順を示す斜視図である。
【図１０】本発明の第２の実施形態に係る収納箱の斜視図である。
【図１１】収納箱の展開図である。
【図１２】収納箱の組み立て手順を示す斜視図である。
【図１３】収納箱の組み立て手順を示す斜視図である。
【図１４】収納箱の組み立て手順を示す斜視図である。
【図１５】収納箱の組み立て手順を示す斜視図である。
【図１６】収納箱の組み立て手順を示す斜視図である。
【図１７】収納箱の組み立て手順を示す斜視図である。
【図１８】収納箱の組み立て手順を示す斜視図である。
【図１９】従来の収納箱の組み立て手順を示す斜視図である。
【図２０】従来の収納箱の組み立て手順を示す斜視図である。
【図２１】従来の収納箱の組み立て手順を示す斜視図である。
【発明を実施するための形態】
【００２５】
以下、本発明の第１の実施例に係る収納箱１を図１〜図９に基づいて説明する。ただし、以下に示す実施例は、本発明の技術思想を具体化するための収納箱を例示するものであって、収納箱を以下のものに限定するものではない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２６】
図１は本発明の第１の実施形態に係る収納箱１の斜視図であり、図２は収納箱１の展開図である。収納箱１には、たとえばトレーに入れられた莓が収納物として収納される。収納箱１は、収納物が載置される底壁２を備えている。底壁２の中央部には仕切り壁３が設けられており、底壁２は仕切り壁３によって底壁部４と底壁部５とに分割されている。底壁部４と底壁部５とは、仕切り片２７，２８によって各々２つに分割されており、収納箱１には４つのトレーを収納可能である。
【００２７】
底壁２の外周には、一組の対向する第一側壁である側壁６と側壁７と、一組の対向する第二側壁である側壁８と側壁９とが設けられている。側壁６，７の両側にはフラップ１０とフラップ１１とが各々設けられており、側壁８，９の端面には折曲片１４と，折曲片１５とが各々設けられている。折曲片１４，１５の両側には、係合片１８が設けられている。係合片１８は、腕部１９と、腕部１９の端部に形成された係合部２０とを備えており、この係合部２０が側壁６，７に設けられた孔部２１に係合する。
【００２８】
仕切り壁３は、仕切り壁部２５と仕切り壁部２６とが背中合わせに折り畳まれて形成される。仕切り片２７，２８は、仕切り壁部２５，２６から垂直に折り曲げられて形成されており、仕切り片２７，２８の端部に設けられた凸部２９，３０が、側壁６，７に設けられたスリット３１，３２に係止される。
【００２９】
ここで収納箱１の組み立て手順について説明する。まず仕切り壁部２５と仕切り壁部２６とを折曲線３５，３６，３７で背中合わせに折り畳んで仕切り壁３を形成する。このときの状態を図４に示す。そして、側壁６と側壁７との両側に設けられたフラップ１０，１１を折曲線４０で内側に垂直に折り曲げた後、側壁６と側壁７とを折曲線３８，３９で折り曲げて、底壁２から立ち上げる。このときの状態を図５に示す。フラップ１０の下部端面３３が底壁部４に当接し、フラップ１１の下部端面３４が底壁部５に当接しており、これによって側壁６と側壁７とが収納箱１の内側に倒れ込むことが防止される。
【００３０】
次に、側壁８を折曲線４１で折り曲げて側壁８と折曲片１４とを垂直に立ち上げる。このときの状態を図６に示す。折曲片１４を折曲線４３で折り曲げて、側壁６と側壁７との上部端面の一方の角部を覆う。このときの状態を図７に示す。折曲片１４の一方側に設けられた係合片１８を折曲線４５で下側に折り曲げて、側壁６の外面に当接させる。このとき側壁６の上端が係合片１８の基端部に当接しており、側壁６は底壁部４から垂直に立ち上がった状態で固定される。
【００３１】
係合片１８を側壁６の外面に当接させた状態で、係合部２０を孔部２１に係合させる。係合片１８の端部に位置する係合部２０を指で押すと、係合部２０は折曲線４６で折り曲がり、孔部２１に挿入される。係合部２０の側部には折曲線５１で折り曲げ可能な舌片５０が形成されており、係合部２０を指で押したとき、舌片５０は孔部２１の周縁部に当接して折曲線５１で折り曲げられて弾性変形する。係合部２０は、この状態で孔部２１を潜り抜けて、側壁６の内側に入り込む。係合部２０は、側壁６の内側に入ると、舌片５０が弾性力で元の状態に戻り、係合部２０が孔部２１に係合される。
【００３２】
同様に、折曲片１４の他方側に設けられた係合片１８を折曲線４５で下側に折り曲げて、側壁７の外面に当接させる。このとき側壁７の上端が係合片１８の基端部に当接するので、側壁７は底壁部５から垂直に立ち上がった状態で固定される。そして、係合片１８の端部に位置する係合部２０を指で押して孔部２１に係合させる。このときの状態を図８に示す。
【００３３】
同様に、側壁９を折曲線４２で折り曲げて垂直に立ち上げ、折曲片１５を折曲線４４で折り曲げて側壁６と側壁７との上部端面の他方側の角部を覆う。折曲片１５の一方側に設けられた係合片１８を折曲線４５で下側に折り曲げて、側壁６の外面に当接させる。このとき側壁６の上端が係合片１８の基端部に当接するので、側壁６は底壁部４から垂直に立ち上がった状態で固定される。そして係合片１８を側壁６の外面に当接させた状態で、係合部２０を孔部２１に係合させる。
【００３４】
同様に、折曲片１５の他方側に設けられた係合片１８を折曲線４５で下側に折り曲げて、側壁７の外面に当接させる。このとき側壁７の上端が係合片１８の基端部に当接するので、側壁６は底壁部４から垂直に立ち上がった状態で固定される。そして係合片１８の端部に位置する係合部２０を指で押して孔部２１に係合させる。このときの状態を図９に示す。
【００３５】
４つの係合片１８を一つずつ孔部２１に係合させる場合について説明したが、折曲片１４の両側に設けられた係合片１８は両手を使って同時に各々の孔部２１に係合させることができ、また折曲片１５の両側に設けられた係合片１８も両手を使って同時に各々の孔部２１に係合させることができる。
【００３６】
そして、仕切り片２７，２８を仕切り壁部２５，２６から垂直に折り曲げて、仕切り片２７，２８の端部に設けられた凸部２９，３０をスリット３１，３２に係止することによって、図１に示す収納箱１が形成される。
【００３７】
収納箱１は、側壁６と側壁７との上部端面の角部を覆う折曲片１４，１５の両側に設けた係合片１８を側壁６の外面に当接させるが、このとき背中合わせに折り曲げられた仕切り壁部２５と仕切り壁部２６との背中同士が当接して仕切り壁３が形成され、さらに側壁６と側壁７とは底壁２から垂直に立ち上がった状態に保持される。従って、仕切り壁部２５と仕切り壁部２６とを折曲線３５，３６，３７で背中合わせに折り曲げたとき、仕切り壁部２５と仕切り壁部２６とは背中同士が当接していない状態でもよく、また側壁６と側壁７とは折曲線３８，３９で折り曲げられたとき底壁２から垂直に立ち上がった状態を保持していなくてもよい。
【００３８】
収納箱１は、収納箱１が組み立てられたとき側壁８，９の上端から突出する凸部５７を備えている。収納箱１を段積みしたとき、上側に載せた収納箱１の切り欠き５６に凸部５７が当接して、上側に載せた収納箱１の位置決めを簡単に行うことができる。
【００３９】
仕切り片２７，２８の上部にはＵ字状の切り欠き５８が形成されている。底壁部４と底壁部５とには、たとえばトレーに入れられた莓が２つずつ仕切り片２７，２８で仕切られた状態で収納されているが、切り欠き５８に指を入れて簡単にトレーを摘まんで取り出すことができる。
【００４０】
以下、本発明の第２の実施例に係る収納箱１を図１０〜図１８に基づいて説明する。図１０は本発明の第２の実施形態に係る収納箱６１の斜視図である。図１１は収納箱６１の展開図である。収納箱６１には、たとえばトレーに入れられた莓が収納物として収納される。収納箱６１は、収納物が載置される底壁６２を備えている。底壁６２の中央部には仕切り壁６３が設けられており、底壁６２は仕切り壁６３によって底壁部６４と底壁部６５とに分割されている。底壁部６４と底壁部６５とは、各々仕切り片６７，６８によって２つに分割されており、収納箱６１には苺が入れられた４つのトレーを収納可能である。
【００４１】
仕切り壁６３は、仕切り壁部７２と仕切り壁部７３とが背中合わせに折り畳まれて形成されており、仕切り片６７，６８は、仕切り壁部７２，７３から垂直に折り曲げられて形成される。底壁部６４の外周には、側壁７４と、一組の対向する側壁７５と側壁７６とが設けられている。底壁部６５の外周には、側壁７４と対向する側壁７７と、一組の対向する側壁７８と側壁７９とが設けられている。
【００４２】
側壁７４，７７の両側には各々フラップ８２が設けられており、仕切り壁部７２，７３の両側には各々フラップ８３が設けられている。側壁７５，７６，７８，７９の端面には各々折曲片８４，８５，８６，８７が設けられている。折曲片８４，８５，８６，８７の側部には係合片９０が設けられている。係合片９０は、腕部９１と、腕部９１の端部に形成された係合部９２とを備えており、この係合部９２が側壁７４，７７に設けられた孔部９３に係合する
【００４３】
ここで収納箱６１の組み立て手順について説明する。まず仕切り壁部７２，７３と、仕切り壁部７２，７３の両側に各々設けられたフラップ８３とを折曲線９６，９７，１２４で背中合わせに折り畳んで仕切り壁６３を形成する。このときの状態を図１２に示す。
【００４４】
そして、側壁７４と側壁７７との両側に設けられたフラップ８２を折曲線９９で内側に垂直に折り曲げた後、側壁７４と側壁７７とを折曲線１００，１０１で折り曲げて、底壁６２から立ち上げる。このときフラップ８２の下部端面１０２が底壁部６４，６５に当接しており、これによって側壁７４と側壁７７とが収納箱６１の内側に倒れ込むことが防止される。
【００４５】
次に、フラップ８３を折曲線１０３で内側に垂直に折り曲げて、フラップ８２とフラップ８３とを係合する。フラップ８３の下部端面１０４が底壁部６４，６５に当接しており、これによって側壁７４と側壁７７とが収納箱６１の内側に倒れ込むことが防止される。フラップ８２とフラップ８３との端部には各々鉤部１０５が設けられており、この鉤部１０５が係合して固定される。このときの状態を図１３に示す。
【００４６】
側壁７５を折曲線１０８で折り曲げて、側壁７５と折曲片８４とを垂直に立ち上げる。このときの状態を図１４，１５に示す。折曲片８４を折曲線１０９で折り曲げて、側壁７４の上部端面の一方の角部を覆う。このときの状態を図１６に示す。フラップ８２とフラップ８３とは鉤部１０５が係合して固定されているので、側壁７４が外側に開くことを防止することができる。折曲片８４の一方側に設けられた係合片９０を折曲線１１０で下側に折り曲げて、側壁７４の外面に当接させる。このとき側壁７４の上端が係合片９０の基端部に当接しており、側壁７４は底壁部６４から垂直に立ち上がった状態で固定される。
【００４７】
係合片９０を側壁７４の外面に当接させた状態で、係合部９２を孔部９３に係合させる。係合片９０の端部に位置する係合部９２を指で押すと、係合部９２は折曲線１２０で折れ曲がり、孔部９３に挿入される。係合部９２の側部には折曲線１２１で折り曲げ可能な舌片１２２が形成されており、係合部９２を指で押したとき、舌片１２２は孔部９３の周縁部に当接して折曲線１２１で折り曲げられて弾性変形する。係合部９２は、この状態で孔部９３を潜り抜けて、側壁７４の内側に入り込む。係合部９２は、側壁７４の内側に入ると、舌片１２２が弾性力で元の状態に戻り、係合部９２が孔部９３に係合される。このときの状態を図１７に示す。
【００４８】
同様に、側壁７６を折曲線１１３で折り曲げて垂直に立ち上げ、折曲片８５を折曲線１１４で折り曲げて、側壁７４の上部端面の他方の角部を覆う。折曲片８５の一方側に設けられた係合片９０を折曲線１１０で下側に折り曲げて、側壁７４の外面に当接させる。このとき側壁７４の上端が係合片９０の基端部に当接しており、側壁７４は底壁部６４から垂直に立ち上がった状態で固定される。そして係合片９０の端部に位置する係合部９２を指で押して孔部９３に係合させる。
【００４９】
同様に、側壁７８を折曲線１１５で折り曲げて垂直に立ち上げ、折曲片８６を折曲線１１６で折り曲げて、側壁７７の上部端面の一方の角部を覆う。折曲片８６の一方側に設けられた係合片９０を折曲線１１０で下側に折り曲げて、側壁７７の外面に当接させる。このとき側壁７７の上端が係合片９０の基端部に当接しており、側壁７７は底壁部６５から垂直に立ち上がった状態で固定される。そして係合片９０の端部に位置する係合部９２を指で押して孔部９３に係合させる。
【００５０】
同様に、側壁７９を折曲線１１７で折り曲げて垂直に立ち上げ、折曲片８７を折曲線１１８で折り曲げて、側壁７７の上部端面の他方の角部を覆う。折曲片８７の一方側に設けられた係合片９０を折曲線１１０で下側に折り曲げて、側壁７７の外面に当接させる。このとき側壁７７の上端が係合片９０の基端部に当接しており、側壁７７は底壁部６５から垂直に立ち上がった状態で固定される。そして係合片９０の端部に位置する係合部９２を指で押して孔部９３に係合させる。このときの状態を図１８に示す。
【００５１】
そして、仕切り片６７，６８を仕切り壁部７２，７３から垂直に折り曲げて、仕切り片６７，６８の端部に設けられた凸部１２６，１２７をスリット１２８，１２９に係止する。図１０は、このようにして組み立てられた収納箱６１を示す。
【００５２】
仕切り壁部７２，７３とが背中合わせに折り曲げられる折曲線９８にはミシン目１２４が設けられており、収納箱６１は、必要に応じてこのミシン目１２４で２つに分割することができる。これによってコンパクトな持ち運びし易い収納箱とすることができる。
【００５３】
フラップ８２とフラップ８３とは、フラップ８２の下部端面１０２と、フラップ８３の下部端面１０４とが底壁部６４，６５に当接した状態で係合しており、この状態で仕切り壁部７２と側壁７４とは底壁部６４から垂直に立ち上がった状態で保持され、仕切り壁部７３と側壁７７とは底壁部６５から垂直に立ち上がった状態で保持される。従って、仕切り壁部７２と仕切り壁部７３とを折曲線９６，９７，９８で背中合わせに折り曲げたとき、仕切り壁部７２と仕切り壁部７３とは背中同士が当接した状態でなくてもよい。また、側壁７４，７７は折曲線１００，１０１で折り曲げられたとき、底壁部６４，６５から垂直に立ち上がった状態を保持していなくてもよい。
【００５４】
収納箱１は、収納箱１が組み立てられたとき側壁７５，７６，７７，７８の上端から突出する凸部１２５を備えている。収納箱６１を段積みしたとき、上側に載せた収納箱６１の側壁７５，７６，７７，７８の外面に凸部１２５が当接して、上側に載せた収納箱６１の位置決めを簡単に行うことができる。
【００５５】
仕切り片６７，６８の上部にはＵ字状の切り欠き１３２，１３３が形成されている。底壁部６４と底壁部６５とには、たとえばトレーに入れられた莓が２つずつ仕切り片６７，６８で仕切られた状態で収納されているが、切り欠き１３２，１３３に指を入れて簡単にトレーを摘まんで取り出すことができる。
【産業上の利用可能性】
【００５６】
本発明の収納箱は、トレーに入れられた莓などの青果物の食料品などを収納する収納箱として好適に使用される。
【符号の説明】
【００５７】
１，６１…収納箱
２，６２…底壁
３，６３…仕切り壁
４,５，６４，６５…底壁部
６，７，８，９，７４，７５，７６，７７，７８，７９…側壁
１０，１１，８２，８３…フラップ
１４，１５，８４，８５，８６，８７…折曲片
１８，９０…係合片
１９…腕部
２０…係合部
２１，９３…孔部
２５，２６，７２，７３…仕切り壁部
２７，２８，６７，６８…仕切り片
２９，３０…凸部
３１，３２，１２８，１２９…スリット
３３，３４，１０２，１０４…下部端面
３５，３６，３７，３８，３９，４０，４１，４２，４３，４４，４５，４６，５１，９６，９７，９８，９９，１００，１０１，１０３，１０８，１０９，１１０，１１３，１１４，１１５，１１６，１１７，１１８，１２０，１２１…折曲線
５０，１２２…舌片
５６，５８，１３２，１３３…切り欠き
５７，１２５，１２６，１２７…凸部
９１…腕部
９２…係合部
１０５…鉤部
１３８，１３９…前後側壁
１４０，１４１…横仕切り
１４２，１４３…左右側壁
１４４，１４５…一半側底面
１４６，１４７…縦仕切り
１５０…係合孔
１５１…嵌合用切れ目
【図１】
2015212163.tif 000003
【図２】
2015212163.tif 000004
【図３】
2015212163.tif 000005
【図４】
2015212163.tif 000006
【図５】
2015212163.tif 000007
【図６】
2015212163.tif 000008
【図７】
2015212163.tif 000009
【図８】
2015212163.tif 000010
【図９】
2015212163.tif 000011
【図１０】
2015212163.tif 000012
【図１１】
2015212163.tif 000013
【図１２】
2015212163.tif 000014
【図１３】
2015212163.tif 000015
【図１４】
2015212163.tif 000016
【図１５】
2015212163.tif 000017
【図１６】
2015212163.tif 000018
【図１７】
2015212163.tif 000019
【図１８】
2015212163.tif 000020
【図１９】
2015212163.tif 000021
【図２０】
2015212163.tif 000022
【図２１】
2015212163.tif 000023